【手続補正書】
【提出日】令和1年11月5日(2019.11.5)
【手続補正１】
【補正対象書類名】特許請求の範囲
【補正対象項目名】請求項１
【補正方法】変更
【補正の内容】
【請求項１】
冷媒を吸入して圧縮して吐出する圧縮機（１１）と、
前記圧縮機（１１）から吐出された前記冷媒を熱交換させ、前記冷媒の熱を利用して、空調対象空間へ送風される空気を加熱する空気加熱部（１２、２２）と、
前記空気加熱部（１２、２２）における前記空気の加熱量を調整する空気加熱量調整部（５４）と、
前記空気加熱部（１２、２２）の冷媒出口側かつ前記圧縮機（１１）の冷媒吸入側に配置され、前記冷媒を減圧させる第１減圧部（８０）と、
前記第１減圧部（８０）から流出した前記冷媒と外気とを熱交換させる冷媒外気熱交換器（８１）と、
前記冷媒外気熱交換器（８１）で熱交換された前記冷媒を減圧させる第２減圧部（１３）と、
前記第２減圧部（１３）から流出した前記冷媒と、前記空気加熱部（１２、２２）で加熱される前の前記空気とを熱交換させて前記空気を冷却する空気冷却用熱交換器（１４）と、
前記冷媒外気熱交換器（８１）または前記空気冷却用熱交換器（１４）で熱交換された前記冷媒を減圧させる第３減圧部（１６）と、
前記第３減圧部（１６）から流出した前記冷媒と熱媒体とを熱交換させる低圧側冷媒熱媒体熱交換器（１７）と、
前記低圧側冷媒熱媒体熱交換器（１７）に対して、前記冷媒が流れる状態と流れない状態とを切り替える冷媒流れ切替部（１６、８４）と、
作動に伴って発熱し、前記熱媒体によって冷却される発熱機器（３３、３５、３６、３７）と、
前記熱媒体と前記外気とを熱交換させる低温熱媒体外気熱交換器（３２）と、
前記低圧側冷媒熱媒体熱交換器（１７）と前記発熱機器（３３、３５、３６、３７）と前記熱媒体外気熱交換器（３２）とに前記熱媒体を循環させる熱媒体回路（３０）とを備え、
前記第１減圧部（８０）は、前記冷媒外気熱交換器（８１）で前記冷媒が前記外気に放熱する状態と、前記冷媒外気熱交換器（８１）で前記冷媒が前記外気から吸熱する状態とを切り替え可能になっており、
前記冷媒流れ切替部（１６、８４）は、前記空気冷却用熱交換器（１４）で前記空気が冷却され且つ前記空気加熱部（１２、２２）で前記空気が、前記空気冷却用熱交換器（１４）で冷却される前よりも高温に加熱されて除湿暖房が行われている場合、前記冷媒に前記熱媒体から吸熱させるために、前記低圧側冷媒熱媒体熱交換器（１７）に前記冷媒が流れる状態にする空調装置。
【手続補正２】
【補正対象書類名】特許請求の範囲
【補正対象項目名】請求項２
【補正方法】変更
【補正の内容】
【請求項２】
冷媒を吸入して圧縮して吐出する圧縮機（１１）と、
前記圧縮機（１１）から吐出された前記冷媒を熱交換させ、前記冷媒の熱を利用して、空調対象空間へ送風される空気を加熱する空気加熱部（１２、２２）と、
前記空気加熱部（１２、２２）における前記空気の加熱量を調整する空気加熱量調整部（５４）と、
前記空気加熱部（１２、２２）の冷媒出口側かつ前記圧縮機（１１）の冷媒吸入側に配置され、前記冷媒を減圧させる第１減圧部（８０）と、
前記第１減圧部（８０）から流出した前記冷媒と外気とを熱交換させる冷媒外気熱交換器（８１）と、
前記冷媒外気熱交換器（８１）で熱交換された前記冷媒を減圧させる第２減圧部（１３）と、
前記第２減圧部（１３）から流出した前記冷媒と、前記空気加熱部（１２、２２）で加熱される前の前記空気とを熱交換させて前記空気を冷却する空気冷却用熱交換器（１４）と、
前記冷媒外気熱交換器（８１）または前記空気冷却用熱交換器（１４）で熱交換された
前記冷媒を減圧させる第３減圧部（１６）と、
前記第３減圧部（１６）から流出した前記冷媒と熱媒体とを熱交換させる低圧側冷媒熱媒体熱交換器（１７）と、
前記低圧側冷媒熱媒体熱交換器（１７）に対して、前記冷媒が流れる状態と流れない状態とを切り替える冷媒流れ切替部（１６、８４）と、
作動に伴って発熱し、前記熱媒体によって冷却される発熱機器（３３、３５、３６、３７）と、
前記熱媒体と前記外気とを熱交換させる低温熱媒体外気熱交換器（３２）と、
前記低圧側冷媒熱媒体熱交換器（１７）と前記発熱機器（３３、３５、３６、３７）と前記熱媒体外気熱交換器（３２）とに前記熱媒体を循環させる熱媒体回路（３０）とを備え、
前記第１減圧部（８０）は、前記冷媒外気熱交換器（８１）で前記冷媒が前記外気に放熱する状態と、前記冷媒外気熱交換器（８１）で前記冷媒が前記外気から吸熱する状態とを切り替え可能になっており、
前記冷媒外気熱交換器（８１）は、前記冷媒と前記外気とを熱交換させる冷媒外気熱交換部（８１ａ）を有しており、
前記熱媒体外気熱交換器（３２）は、前記熱媒体と前記外気とを熱交換させる低温熱媒体外気熱交換部（３２ａ）を有しており、
前記冷媒外気熱交換部（８１ａ）および前記低温熱媒体外気熱交換部（３２ａ）のうち少なくとも一方の熱交換部は、他方の熱交換部と前記外気の流れ方向に重合しない部位を有しており、
前記冷媒流れ切替部（１６、８４）は、前記冷媒外気熱交換器（８１）で前記冷媒が前記外気から吸熱し且つ前記空気加熱部（１２、２２）で前記空気が加熱されて暖房が行われている場合、前記低圧側冷媒熱媒体熱交換器（１７）に前記冷媒が流れる状態にし、
前記暖房が行われている場合、前記少なくとも一方の熱交換部のうち前記他方の熱交換部と前記外気の流れ方向に重合しない部位と、前記他方の熱交換部とに、前記外気が並列に流れる空調装置。
【手続補正３】
【補正対象書類名】明細書
【補正対象項目名】０００２
【補正方法】変更
【補正の内容】
【０００２】
従来、特許文献１には、冷凍サイクルを有する空調装置が記載されている。この冷凍サイクル装置では、冷房モードと暖房モードとで冷媒回路を切り替え、冷房モード時には室外熱交換器を放熱器として機能させ、暖房モード時には室外熱交換器を蒸発器として機能させる。
【手続補正４】
【補正対象書類名】明細書
【補正対象項目名】０００８
【補正方法】変更
【補正の内容】
【０００８】
また、上記従来技術では、暖房モード時には室外熱交換器を蒸発器として機能させるが、室外熱交換器の吸熱能力が不足して暖房能力不足になりやすいという問題がある。
【手続補正５】
【補正対象書類名】明細書
【補正対象項目名】００１１
【補正方法】変更
【補正の内容】
【００１１】
上記目的を達成するため、請求項１に記載の空調装置では、
冷媒を吸入して圧縮して吐出する圧縮機（１１）と、
圧縮機（１１）から吐出された冷媒を熱交換させ、冷媒の熱を利用して、空調対象空間へ送風される空気を加熱する空気加熱部（１２、２２）と、
空気加熱部（１２、２２）における空気の加熱量を調整する空気加熱量調整部（５４）と、
空気加熱部（１２、２２）の冷媒出口側かつ圧縮機（１１）の冷媒吸入側に配置され、冷媒を減圧させる第１減圧部（８０）と、
第１減圧部（８０）から流出した冷媒と外気とを熱交換させる冷媒外気熱交換器（８１）と、
冷媒外気熱交換器（８１）で熱交換された冷媒を減圧させる第２減圧部（１３）と、
第２減圧部（１３）から流出した冷媒と、空気加熱部（１２、２２）で加熱される前の空気とを熱交換させて空気を冷却する空気冷却用熱交換器（１４）と、
冷媒外気熱交換器（８１）または空気冷却用熱交換器（１４）で熱交換された冷媒を減圧させる第３減圧部（１６）と、
第３減圧部（１６）から流出した冷媒と熱媒体とを熱交換させる低圧側冷媒熱媒体熱交換器（１７）と、
低圧側冷媒熱媒体熱交換器（１７）に対して、冷媒が流れる状態と流れない状態とを切り替える冷媒流れ切替部（１６、８４）と、
作動に伴って発熱し、熱媒体によって冷却される発熱機器（３３、３５、３６、３７）と、
熱媒体と外気とを熱交換させる低温熱媒体外気熱交換器（３２）と、
低圧側冷媒熱媒体熱交換器（１７）と発熱機器（３３、３５、３６、３７）と熱媒体外気熱交換器（３２）とに熱媒体を循環させる熱媒体回路（３０）とを備え、
第１減圧部（８０）は、冷媒外気熱交換器（８１）で冷媒が外気に放熱する状態と、冷媒外気熱交換器（８１）で冷媒が外気から吸熱する状態とを切り替え可能になっており、
冷媒流れ切替部（１６、８４）は、空気冷却用熱交換器（１４）で空気が冷却され且つ空気加熱部（１２、２２）で空気が、空気冷却用熱交換器（１４）で冷却される前よりも高温に加熱されて除湿暖房が行われている場合、冷媒に熱媒体から吸熱させるために、低圧側冷媒熱媒体熱交換器（１７）に冷媒が流れる状態にする。
【手続補正６】
【補正対象書類名】明細書
【補正対象項目名】００１６
【補正方法】変更
【補正の内容】
【００１６】
上記他の目的を達成するため、請求項２に記載の空調装置では、
冷媒を吸入して圧縮して吐出する圧縮機（１１）と、
圧縮機（１１）から吐出された冷媒を熱交換させ、冷媒の熱を利用して、空調対象空間へ送風される空気を加熱する空気加熱部（１２、２２）と、
空気加熱部（１２、２２）における空気の加熱量を調整する空気加熱量調整部（５４）と、
空気加熱部（１２、２２）の冷媒出口側かつ圧縮機（１１）の冷媒吸入側に配置され、冷媒を減圧させる第１減圧部（８０）と、
第１減圧部（８０）から流出した冷媒と外気とを熱交換させる冷媒外気熱交換器（８１）と、
冷媒外気熱交換器（８１）で熱交換された冷媒を減圧させる第２減圧部（１３）と、
第２減圧部（１３）から流出した冷媒と、空気加熱部（１２、２２）で加熱される前の空気とを熱交換させて空気を冷却する空気冷却用熱交換器（１４）と、
冷媒外気熱交換器（８１）または空気冷却用熱交換器（１４）で熱交換された冷媒を減
圧させる第３減圧部（１６）と、
第３減圧部（１６）から流出した冷媒と熱媒体とを熱交換させる低圧側冷媒熱媒体熱交換器（１７）と、
低圧側冷媒熱媒体熱交換器（１７）に対して、冷媒が流れる状態と流れない状態とを切り替える冷媒流れ切替部（１６、８４）と、
作動に伴って発熱し、熱媒体によって冷却される発熱機器（３３、３５、３６、３７）と、
熱媒体と外気とを熱交換させる低温熱媒体外気熱交換器（３２）と、
低圧側冷媒熱媒体熱交換器（１７）と発熱機器（３３、３５、３６、３７）と熱媒体外気熱交換器（３２）とに熱媒体を循環させる熱媒体回路（３０）とを備え、
第１減圧部（８０）は、冷媒外気熱交換器（８１）で冷媒が外気に放熱する状態と、冷媒外気熱交換器（８１）で冷媒が外気から吸熱する状態とを切り替え可能になっており、
冷媒外気熱交換器（８１）は、冷媒と外気とを熱交換させる冷媒外気熱交換部（８１ａ）を有しており、
熱媒体外気熱交換器（３２）は、熱媒体と外気とを熱交換させる低温熱媒体外気熱交換部（３２ａ）を有しており、
冷媒外気熱交換部（８１ａ）および低温熱媒体外気熱交換部（３２ａ）のうち少なくとも一方の熱交換部は、他方の熱交換部と外気の流れ方向に重合しない部位を有しており、
冷媒流れ切替部（１６、８４）は、冷媒外気熱交換器（８１）で冷媒が外気から吸熱し且つ空気加熱部（１２、２２）で空気が加熱されて暖房が行われている場合、低圧側冷媒熱媒体熱交換器（１７）に冷媒が流れる状態にし、
暖房が行われている場合、少なくとも一方の熱交換部のうち他方の熱交換部と前記外気の流れ方向に重合しない部位と、他方の熱交換部とに、外気が並列に流れる。
【手続補正７】
【補正対象書類名】明細書
【補正対象項目名】０１３０
【補正方法】変更
【補正の内容】
【０１３０】
窓近傍湿度センサは、車室内のフロントガラス近傍の車室内空気の相対湿度（以下、窓近傍相対湿度と言う。）を検出する。窓近傍空気温度センサは、フロントガラス近傍の車室内空気の温度を検出する。窓表面温度センサは、フロントガラスの表面温度を検出する。
【手続補正８】
【補正対象書類名】明細書
【補正対象項目名】０１３７
【補正方法】変更
【補正の内容】
【０１３７】
窓表面相対湿度ＲＨＷは、フロントガラスが曇る可能性を表す指標である。具体的には、窓表面相対湿度ＲＨＷの値が大きいほど、フロントガラスが曇る可能性が高いことを意味する。
【手続補正９】
【補正対象書類名】明細書
【補正対象項目名】０１７６
【補正方法】変更
【補正の内容】
【０１７６】
（除湿暖房モード）
除湿暖房モードでは、制御装置６０は、第１膨張弁８０を絞り状態とし、第２膨張弁１３を絞り状態とし、第３膨張弁１６を全閉状態とする。
【手続補正１０】
【補正対象書類名】明細書
【補正対象項目名】０１７９
【補正方法】変更
【補正の内容】
【０１７９】
第２膨張弁１３へ出力される制御信号については、第２膨張弁１３へ流入する冷媒の過熱度が、予め定められた目標過熱度に近づくように決定される。目標過熱度は、サイクルの成績係数（いわゆるＣＯＰ）を最大値に近づけるように定められている。
【手続補正１１】
【補正対象書類名】明細書
【補正対象項目名】０１８７
【補正方法】変更
【補正の内容】
【０１８７】
また、第２膨張弁１３にて減圧された低圧冷媒に、空気冷却用蒸発器１４にて車室内へ送風される空気から吸熱させ、空気冷却用蒸発器１４で冷却除湿された空気を、ヒータコア２２で加熱して車室内へ吹き出すことができる。これにより、車室内の除湿暖房を実現することができる。
【手続補正１２】
【補正対象書類名】明細書
【補正対象項目名】０１９２
【補正方法】変更
【補正の内容】
【０１９２】
このように、本実施形態の車両用空調装置１では、空気冷却用蒸発器１４および冷却水冷却用蒸発器１７に対する冷媒流れと、高温冷却水回路２０および低温冷却水回路３０における冷却水流れとを切り替えることによって、車室内の適切な冷房、暖房および除湿暖房を実行することができ、ひいては車室内の快適な空調を実現することができる。
【手続補正１３】
【補正対象書類名】明細書
【補正対象項目名】０１９４
【補正方法】変更
【補正の内容】
【０１９４】
インバータ３５、チャージャ３６およびモータジェネレータ３７を外気温度未満に冷却する必要がない場合や、電池３３を冷却する必要はあるが冷却水冷却用蒸発器１７に冷媒が流通していない場合、図１２に示すように、制御装置６０は、低温冷却水回路３０の冷却水が低温側ラジエータ３２とインバータ３５、チャージャ３６およびモータジェネレータ３７との間で循環するように第２三方弁３９を制御する。これにより、インバータ３５、チャージャ３６およびモータジェネレータ３７の廃熱を外気に放熱してインバータ３５、チャージャ３６およびモータジェネレータ３７を冷却できる。
【手続補正１４】
【補正対象書類名】図面
【補正対象項目名】図１
【補正方法】変更
【補正の内容】
【図１】
2019034587.tif 000001